(57)【要約】  【課題】  キーの多重押しや、機械的な故障やキー信号ラインの埃などによりキーが押され続けてしまっているような状態になった場合でも、装置としての動作を行うことができるようにし、また、キー操作に関するエラーがどのような理由によるものかを知ることもできる光ディスク装置を提供する。  【解決手段】  操作部からのキー入力信号があり、今のキー状態が特殊状態でなく、キーの押し下げがあったとき、同一キーの押し下げの時間が計測される。所定時間同一キーの押し下げがあったとき、キー状態が特殊状態に移行される。これにより、キーの多重押しや機械的な故障やキー信号ラインの埃などによりキーが押され続けてしまっているような状態になった場合でも、装置としての動作を行うことができる。同一キーの押し放しが認識できるまで、キーが押されたままになっていることを示す警告が表示され、また、そのキーが特定される。【選択図】      図２
2006179084.tif 000002
【特許請求の範囲】
【請求項１】
光ディスクに対して情報の再生、または記録／再生を行う光ディスク装置において、操
作部またはリモコンからのキー入力信号を受信処理するキー受信処理手段と、今のキー状
態が特殊状態であるか否かを判定するキー状態判定手段と、今のキー状態が特殊状態でな
いとき前記キー受信処理手段で受信処理した結果に基づいてキーの押し下げがあったか否
かを判定するキー押し下げ判定手段と、キーの押し下げがあったとき同一キーの押し下げ
の時間を計測する時間計測手段と、前記計測された時間に基づいて所定時間同一キーの押
し下げがあったか否かを判定する所定時間キー押し下げ判定手段と、前記計測された時間
に基づいて所定時間同一キーの押し下げがあったときキー状態を特殊状態に移行させる特
殊状態移行手段と、今のキー状態が特殊状態のとき同一キーの押し放しがあったか否かを
判定するキー押し放し判定手段と、同一キーの押し放しがあったときキー状態を通常状態
に戻す通常状態戻し手段と、同一キーの押し放しが認識できるまでディスプレイ装置にキ
ーが押されたままになっていることを示す警告を表示する警告表示手段と、前記押された
ままになっているキーを表示する際に前記キーを特定するキー特定手段とを有するシステ
ムコントローラを備えたことを特徴とする光ディスク装置。
【請求項２】
光ディスクに対して情報の再生、または記録／再生を行う光ディスク装置において、操
作部またはリモコンからのキーの押し下げが認識できたら、前記キーの押され続けている
時間を計測し、所定時間以上押し続けられた場合は、キーが何も押されていない特殊状態
と見なすシステムコントローラを備えたことを特徴とする光ディスク装置。
【請求項３】
前記システムコントローラは、操作部またはリモコンからのキーの押し下げが認識でき
たら、前記キーの押され続けている時間を計測し、所定時間以上押し続けられた場合は、
キーが何も押されていない状態と見なす手段として、操作部またはリモコンからのキー入
力信号を受信処理するキー受信処理手段と、今のキー状態が特殊状態であるか否かを判定
するキー状態判定手段と、今のキー状態が特殊状態でないとき前記キー受信処理手段で受
信処理した結果に基づいてキーの押し下げがあったか否かを判定するキー押し下げ判定手
段と、キーの押し下げがあったとき同一キーの押し下げの時間を計測する時間計測手段と
、前記計測された時間に基づいて所定時間同一キーの押し下げがあったか否かを判定する
所定時間キー押し下げ判定手段と、所定時間同一キーの押し下げがあったときキー状態を
特殊状態に移行させる特殊状態移行手段とを有することを特徴とする請求項２に記載の光
ディスク装置。
【請求項４】
前記システムコントローラは、今のキー状態が特殊状態のとき同一キーの押し放しがあ
ったか否かを判定するキー押し放し判定手段と、同一キーの押し放しがあったときキー状
態を通常状態に戻す通常状態戻し手段とを有することを特徴とする請求項２に記載の光デ
ィスク装置。
【請求項５】
前記システムコントローラは、同一キーの押し放しが認識できるまでディスプレイ装置
にキーが押されたままになっていることを示す警告を表示する警告表示手段を有すること
を特徴とする請求項２に記載の光ディスク装置。
【請求項６】
前記システムコントローラは、前記押されたままになっているキーを表示する際に前記
キーを特定するキー特定手段を有することを特徴とする請求項５に記載の光ディスク装置
。
【発明の詳細な説明】
【技術分野】
【０００１】
本発明は、光ディスクに対して情報の再生、または記録／再生を行う光ディスク装置に
関する。
【背景技術】
【０００２】
従来から光ディスク装置には、装置全体を制御するシステムコントローラと、このシス
テムコントローラに対して、装置電源のオンまたはオフさせる指示を与えるための電源キ
ー、再生指示を与えるための再生キー、再生停止を指示するための停止キー、その他各種
操作キーを有し、装置本体の前面パネルに設けられた操作部とが備えられている。この操
作部は、同様な各種操作キーを有するリモコンからの操作指令を示す光信号を受信する受
光手段を備え、この受光手段により光信号を電気信号に変換してシステムコントローラに
指令信号を入力する機能も備えている。
【特許文献１】特開２００３−１５７７９号公報
【特許文献２】特開平７−１３６９６号公報
【特許文献３】特開昭５３−１３６１８４号公報
【特許文献４】特開昭６２−１３１４号公報
【発明の開示】
【発明が解決しようとする課題】
【０００３】
ところで、このような従来の光ディスク装置においては、装置を操作するために、ユー
ザが操作部のキーまたはリモコンのキーを押すが、このときに例えばキーＡとキーＢを多
重押しした場合、光ディスク装置は何も動作しないが、キーＡが押し下げられている状態
でキーＢを放したとすると、このときにキーＡが効いてしまうことがあり、また、例えば
、機械的な故障やキー信号ラインの埃などによりキーＡが押され続けてしまっているよう
な状態になってしまうと、他のキーが効かないようになってしまう等、本来のキー操作が
できなくなってしまうという課題があった。
【０００４】
なお、特許文献１の従来技術は、タッチパネルのタッチオン状態が一定時間継続したこ
とを検知した場合、ユーザによる有効操作でないと判断してオートパワーオフ機能を働か
せるものであり、また、操作対象は光ディスク装置ではなく、携帯型電子機器である。
【０００５】
特許文献２の従来技術は、タッチパネルの同じ位置にタッチが接続した場合、ユーザの
意図が単なるタッチなのかどうかをタイマなどを使って区別することにより、タッチが同
じ位置で接続しても誤入力を防止でき、しかも繰り返し選択肢をタッチすることによる画
面の劣化を防止できるようにした入力装置であり、光ディスク装置の操作部またはリモコ
ンに関するものではない。
【０００６】
特許文献３の従来技術は、発信側の一定時間内における発信数を予め決めておき、受信
機側でその発信数を有する入力信号を受信し、且つその後入力信号を受信しない場合のみ
正常な信号として入力信号を検出するように構成されているので、キーの多重押しや、機
械的な故障やキー信号ラインの埃などによりキーが押され続けてしまっているような状態
になった場合、前記発信数を有する入力信号を受信し、その後も入力信号を受信したとき
、エラーを表示させるようなことも考えられるが、ユーザはどのような理由でエラーにな
ったかが分らない。
【０００７】
特許文献４の従来技術は、複数のキーに対して各キーに対する触れる操作と押圧する操
作等との異なる２種類のキー操作に対して、操作内容を表示する信号と対応する操作を行
わせる操作信号とを発生できるようにすることにより、操作する人は画面を見ながら操作
キーの操作を行うことができるようにしているが、キーの多重押しや、機械的な故障やキ
ー信号ラインの埃などによりキーが押され続けてしまっているような状態になった場合に
対する対策は施されていない。
【０００８】
本発明は、上記のような課題を解決するためになされたもので、キーの多重押しや、機
械的な故障やキー信号ラインの埃などによりキーが押され続けてしまっているような状態
になった場合でも、装置としての動作を行うことができるようにし、また、キー操作に関
するエラーがどのような理由によるものかを知ることもできる光ディスク装置を提供する
ことを目的とする。
【課題を解決するための手段】
【０００９】
上記目的を達成するために、請求項１の発明は、操作部またはリモコンからのキー入力
信号を受信処理するキー受信処理手段と、今のキー状態が特殊状態であるか否かを判定す
るキー状態判定手段と、今のキー状態が特殊状態でないとき前記キー受信処理手段で受信
処理した結果に基づいてキーの押し下げがあったか否かを判定するキー押し下げ判定手段
と、キーの押し下げがあったとき同一キーの押し下げの時間を計測する時間計測手段と、
前記計測された時間に基づいて所定時間同一キーの押し下げがあったか否かを判定する所
定時間キー押し下げ判定手段と、所定時間同一キーの押し下げがあったときキー状態を特
殊状態に移行させる特殊状態移行手段と、今のキー状態が特殊状態のとき同一キーの押し
放しがあったか否かを判定するキー押し放し判定手段と、同一キーの押し放しがあったと
きキー状態を通常状態に戻す通常状態戻し手段と、同一キーの押し放しが認識できるまで
ディスプレイ装置にキーが押されたままになっていることを示す警告を表示する警告表示
手段と、前記押されたままになっているキーを表示する際に前記キーを特定するキー特定
手段とを有するシステムコントローラを備えたことを特徴とする光ディスク装置を提供す
る。
【００１０】
この構成において、操作部またはリモコンからのキー入力信号があると、キー受信処理
手段により受信処理される。そして、今のキー状態が特殊状態であるか否かがキー状態判
定手段により判定される。今のキー状態が特殊状態でなく、キーの押し下げがあったとキ
ー押し下げ判定手段により判定されとき、同一キーの押し下げの時間が時間計測手段によ
り計測される。所定時間同一キーの押し下げがあったと所定時間キー押し下げ判定手段に
より判定されたとき、キー状態が特殊状態に特殊状態移行手段により移行される。今のキ
ー状態が特殊状態のとき同一キーの押し放しがあったか否かがキー押し放し判定手段によ
り判定され、同一キーの押し放しがあったときキー状態が通常状態戻し手段により通常状
態に戻される。同一キーの押し放しが認識できるまで、キーが押されたままになっている
ことを示す警告が警告表示手段によりディスプレイ装置に表示される。前記押されたまま
になっているキーを表示する際に前記キーがキー特定手段により特定される。
【００１１】
この構成によれば、キーの多重押しや、機械的な故障やキー信号ラインの埃などにより
キーが押され続けてしまっているような状態になった場合でも、通常処理に戻すことによ
り問題なく装置としての動作を行うことができ、また、キー操作に関するエラーがどのよ
うな理由によるものかをディスプレイ装置に表示できるので、エラー内容を知ることもで
き、また、同一キーの押し放しが認識できるまで、ユーザにキーが押されたままになって
いることを示す警告を促すことができ、更に、どのキーが押されたままになっているかを
確認することもできる。したがって、ユーザにとっては使い勝手が良くなる。
【００１２】
請求項２の発明は、光ディスクに対して情報の再生、または記録／再生を行う光ディス
ク装置において、操作部またはリモコンからのキーの押し下げが認識できたら、前記キー
の押され続けている時間を計測し、所定時間以上押し続けられた場合は、キーが何も押さ
れていない特殊状態と見なすシステムコントローラを備えたことを特徴とする光ディスク
装置を提供する。
【００１３】
この構成において、操作部またはリモコンからのキーの押し下げが認識できたら、前記
キーの押され続けている時間が計測され、所定時間以上押し続けられた場合は、キーが何
も押されていない特殊状態と見なされる。
【００１４】
この構成によれば、所定時間以上押し続けられた場合は、キーが何も押されていない状
態と見なされるので、その後は通常処理に戻すことにより、問題なく装置としての動作を
行うことができ、ユーザにとっては使い勝手が良くなる。
【００１５】
請求項３の発明では、請求項２の発明において、前記システムコントローラは、操作部
またはリモコンからのキーの押し下げが認識できたら、前記キーの押され続けている時間
を計測し、所定時間以上押し続けられた場合は、キーが何も押されていない状態と見なす
手段として、操作部またはリモコンからのキー入力信号を受信処理するキー受信処理手段
と、今のキー状態が特殊状態であるか否かを判定するキー状態判定手段と、今のキー状態
が特殊状態でないとき前記キー受信処理手段で受信処理した結果に基づいてキーの押し下
げがあったか否かを判定するキー押し下げ判定手段と、キーの押し下げがあったとき同一
キーの押し下げの時間を計測する時間計測手段と、前記計測された時間に基づいて所定時
間同一キーの押し下げがあったか否かを判定する所定時間キー押し下げ判定手段と、所定
時間同一キーの押し下げがあったときキー状態を特殊状態に移行させる特殊状態移行手段
とを有するので、所定時間以上押し続けられた場合は、キーが何も押されていない特殊状
態と見なすことができる。
【００１６】
請求項４の発明では、請求項２の発明において、前記システムコントローラは、今のキ
ー状態が特殊状態のとき同一キーの押し放しがあったか否かを判定するキー押し放し判定
手段と、同一キーの押し放しがあったときキー状態を通常状態に戻す通常状態戻し手段と
を有するので、同一キーの押し放しを確認できれば、そのキーを初期のキー状態に戻すこ
とができ、そのキーを利用することが可能になる。
【００１７】
請求項５の発明では、請求項２の発明において、前記システムコントローラは、同一キ
ーの押し放しが認識できるまでディスプレイ装置にキーが押されたままになっていること
を示す警告を表示する警告表示手段を有するので、同一キーの押し放しが認識できるまで
、ユーザにキーが押されたままになっていることを示す警告を促すことができる。
【００１８】
請求項６の発明では、請求項５の発明において、前記システムコントローラは、前記押
されたままになっているキーを表示する際に前記キーを特定するキー特定手段を有するの
で、ユーザはどのキーが押されたままになっているかを確認することが可能になる。
【発明の効果】
【００１９】
以上のように本発明によれば、操作部またはリモコンからのキー入力信号を受信処理す
るキー受信処理手段と、今のキー状態が特殊状態であるか否かを判定するキー状態判定手
段と、今のキー状態が特殊状態でないとき前記キー受信処理手段で受信処理した結果に基
づいてキーの押し下げがあったか否かを判定するキー押し下げ判定手段と、キーの押し下
げがあったとき同一キーの押し下げの時間を計測する時間計測手段と、前記計測された時
間に基づいて所定時間同一キーの押し下げがあったか否かを判定する所定時間キー押し下
げ判定手段と、所定時間同一キーの押し下げがあったときキー状態を特殊状態に移行させ
る特殊状態移行手段と、今のキー状態が特殊状態のとき同一キーの押し放しがあったか否
かを判定するキー押し放し判定手段と、同一キーの押し放しがあったときキー状態を通常
状態に戻す通常状態戻し手段と、同一キーの押し放しが認識できるまでディスプレイ装置
にキーが押されたままになっていることを示す警告を表示する警告表示手段と、前記押さ
れたままになっているキーを表示する際に前記キーを特定するキー特定手段とを有するシ
ステムコントローラを備えたので、キーの多重押しや、機械的な故障やキー信号ラインの
埃などによりキーが押され続けてしまっているような状態になった場合でも、通常処理に
戻すことにより問題なく装置としての動作を行うことができ、また、キー操作に関するエ
ラーがどのような理由によるものかをディスプレイ装置に表示でき、これによりエラー内
容を知ることもでき、また、同一キーの押し放しが認識できるまで、ユーザにキーが押さ
れたままになっていることを示す警告を促すことができ、更に、どのキーが押されたまま
になっているかを確認することもできる。したがって、ユーザにとっては使い勝手が良く
なる。
【００２０】
また、本発明によれば、操作部またはリモコンからのキーの押し下げが認識できたら、
前記キーの押され続けている時間を計測し、所定時間以上押し続けられた場合は、キーが
何も押されていない特殊状態と見なすシステムコントローラを備えたので、所定時間以上
押し続けられた場合は、キーが何も押されていない状態と見なされ、その後は通常処理に
戻すことにより、問題なく装置としての動作を行うことができ、ユーザにとっては使い勝
手が良くなる。
【発明を実施するための最良の形態】
【００２１】
以下、添付図面を参照しつつ、本発明の実施の形態について説明する。図１は本発明の
一実施形態に係る光ディスク装置の構成を示すブロック図である。
【００２２】
この光ディスク装置は、光ディスク１を回転させるスピンドルモータ５と、光ディスク
１に記録された情報を再生するためのレーザ光を出射すると共に光ディスク１からの反射
光を受光する光ピックアップ２と、この光ピックアップ２を光ディスク１の半径方向に移
動させるためのスレッド３と、システムコントローラ２２の指示に応じてスピンドルモー
タ５およびスレッド３を駆動すると共に光ピックアップ２に内蔵された対物レンズ（図示
せず）を動かすことによりレーザ光の焦点位置を光ディスク１の記録面に対して垂直方向
および水平方向に移動させる制御を行うサーボ制御部４とを備えている。
【００２３】
また、この光ディスク装置は、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理と誤り訂正処理を行って生成したデータをＲＡＭ７に格納するデジタル信号処理部８と
、システムコントローラ２２の指示に応じてデジタル信号処理部８から出力されたデータ
ストリームの中からオーディオデータとサブピクチャデータとビデオデータとを分離する
ストリーム分離部９とを備えている。
【００２４】
また、この光ディスク装置は、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００２５】
また、この光ディスク装置は、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して例えばスピーカ１９に供給するＤ／Ａ変換器１６とを備えている。
【００２６】
また、この光ディスク装置は、システムコントローラ２２に対して、装置電源をオンま
たはオフさせる指示を与えるための電源キー、再生指示を与えるための再生キー、再生停
止を指示するための停止キー、その他各種操作キーを有し、装置本体の前面パネルに設け
られた操作部２１と、装置全体を制御する前記システムコントローラ２２とを備えている
。操作部２１は、リモコン（リモートコントローラ）２６からの操作指令を示す光信号を
受信する受光手段（図示せず）を備え、この受光手段により光信号を電気信号に変換して
システムコントローラ２２に指令信号を入力する。リモコン２６は操作部２１と同様な各
種操作キーを有する。なお、操作部２１としては、前面パネルに複数のキーが配置された
ものでも良いし、あるいは前面パネルが複数のタッチキーを有するタッチパネルになった
ものでも良い。
【００２７】
また、この光ディスク装置は、装置の各構成要素を制御したり、装置全体を制御したり
するためのプログラムやデータなどを記憶するフラッシュＲＯＭ２３と、このフラッシュ
ＲＯＭ２３のプログラムやデータに従って演算処理を行いシステムコントローラ２２を制
御するＣＰＵ２４と、ＣＰＵ２４の演算処理に必要なデータを一時的に格納するＲＡＭ２
７と、操作部２１またはリモコン２６からの操作内容などを表示したりする本体側の表示
手段である表示部２５とを備えている。
【００２８】
システムコントローラ２２は、本実施形態の特徴とする構成要素として、操作部２１ま
たはリモコン２６からのキー入力信号を受信処理するキー受信処理手段２２１と、今のキ
ー状態が特殊状態であるか否かを判定するキー状態判定手段２２２と、今のキー状態が特
殊状態でないとき前記キー受信処理手段２２１で受信処理した結果に基づいてキーの押し
下げがあったか否かを判定するキー押し下げ判定手段２２３と、キーの押し下げがあった
とき同一キーの押し下げの時間を計測する時間計測手段２２４とを有する。
【００２９】
また、システムコントローラ２２は、前記計測された時間に基づいて所定時間同一キー
の押し下げがあったか否かを判定する所定時間キー押し下げ判定手段２２５と、所定時間
同一キーの押し下げがあったときキー状態を特殊状態に移行させる特殊状態移行手段２２
６と、今のキー状態が特殊状態のとき同一キーの押し放しがあったか否かを判定するキー
押し放し判定手段２２７と、同一キーの押し放しがあったときキー状態を通常状態に戻す
通常状態戻し手段２２８と、同一キーの押し放しが認識できるまでディスプレイ装置２０
にキーが押されたままになっていることを示す警告を表示する警告表示手段２２９と、前
記押されたままになっているキーを表示する際に前記キーを特定するキー特定手段２３０
とを有する。
【００３０】
図２は本実施形態の光ディスク装置においてキー入力処理を説明するためのフローチャ
ートである。このフローチャートを参照してキー入力処理について説明する。なお、本実
施形態では、再生のみ行える光ディスク装置について説明するが、記録／再生を行える光
ディスク装置についてのキー入力処理も同様である。
【００３１】
ユーザが操作部２１の例えば、あるキーＡを押し下げると、システムコントローラ２２
のキー受信処理手段２２１は、操作部２１からのキー入力信号を受信処理し、キーＡの操
作内容を認識する（ステップＳ１）。このときシステムコントローラ２２のキー状態判定
手段２２２は、今のキー状態が特殊状態であるか否かを判定し、特殊状態でなく普通の状
態のとき、キー押し下げ判定手段２２３は、キーＡの押し下げがあったと判定する（ステ
ップＳ５）。
【００３２】
キーＡの押し下げがあったとき、システムコントローラ２２の時間計測手段２２４は、
同一キーの押し下げ時間、例えばキーＡの押し下げ時間を計測し、所定時間キー押し下げ
判定手段２２５は、その押し下げ時間が例えば５分間経過すると、キーＡは押し下げられ
た状態のままであると判定する（ステップＳ７）。次に、システムコントローラ２２の特
殊状態移行手段２２６は、キー状態を特殊状態に移行する（ステップＳ８）。即ち、キー
Ａが何も押されていない状態にもって行き、他のキーの押し下げを有効とする。ただし、
キーＡは無効にする。
【００３３】
また、ステップＳ８では、システムコントローラ２２の警告表示手段２２９はＯＳＤ処
理によりディスプレイ装置２０にキーが押されたままになっていることを示す警告のエラ
ー表示を行う。更に、システムコントローラ２２のキー特定手段２３０は、前記押された
ままになっているキー（例えばキーＡ）をキーマトリクス回路からのキー信号により特定
してディスプレイ装置２０に表示する。
【００３４】
その後、ステップＳ１からステップＳ２に移り、ステップＳ２では、今回は今の状態が
特殊状態であると判定されるので、システムコントローラ２２のキー押し放し判定手段２
２７は、同一キー（キーＡ）の押し放しがあったか否かを判定し、押し放しがあったとき
、通常状態戻し手段２２８は、キー状態を通常状態に戻す（ステップＳ４）。このステッ
プＳ４では、ディスプレイ装置２０に表示されたエラー表示は消去される。
【００３５】
ステップＳ３において同一キーの押し放しが無かったと判定されたとき、ステップＳ５
においてキーの押し下げが無かったと判定されたとき、ステップＳ７において５分間同一
キーの押し下げが無かったと判定されたときは、ステップＳ１に戻る。
【００３６】
ところで、ＤＶＤプレイヤなどの光ディスク装置においては、キーの長押しによって機
能が替わるスキップキーなどがあり、このスキップキーが長押しされている状態のまま再
生を始めたとしても、勝手に早送りとかの動作に移るようなことがある。このような場合
、スキップキーが長押しされたままになっていることをディスプレイ装置に表示すること
により、ユーザはキー操作に関するエラーを知ることができる。
【００３７】
長押しすると機能が替わるキー（スキップキーなど）と、替わらないキー（電源キー、
再生キー、停止キー、オープン／クローズキーなど）とを分けてキー入力処理を行うこと
も考えられるが、処理が複雑化する。前記キー入力処理において、キー押し下げ時間を計
測して所定時間が経過したとき、当該キーが押し下げられたままであると判定する場合、
その所定時間は長押しすると機能が替わるキーの押下時間（機能が替わるまでの押下時間
）よりも長く設定しておけば、操作部のキーの多重押しや、機械的な故障やキー信号ライ
ンの埃などによりキーが押され続けてしまっているような状態を検出することができるの
で、前記キー入力処理を実行するのに問題がない。
【００３８】
以上説明したように本実施形態によれば、装置本体の前面パネルに設けられた操作部の
キーの多重押しや、機械的な故障やキー信号ラインの埃などによりキーが押され続けてし
まっているような状態になった場合でも、通常処理に戻すことにより問題なく装置として
の動作を行うことができ、また、キー操作に関するエラーがどのような理由によるものか
をディスプレイ装置に表示できるので、エラー内容を知ることもできる。また、同一キー
の押し放しが認識できるまで、ユーザにキーが押されたままになっていることを示す警告
を促すことができ、更に、どのキーが押されたままになっているかを確認することもでき
る。したがって、ユーザにとっては使い勝手が良くなる。
【００３９】
なお、リモコンに対しても上記で説明したキー入力処理を適用することもできるが、リ
モコンの場合は、光信号が装置本体の受光部までに到達するまでに、障害物で遮断される
こともあるので、このキー入力処理を適用することは難しい。リモコンが常に装置本体の
受光部に向いているという条件があれば、このキー入力処理を適用すると、操作部に対す
るキー入力処理と同様な効果が得られる。
【図面の簡単な説明】
【００４０】
【図１】本発明の一実施形態に係る光ディスク装置の構成を示すブロック図である。
【図２】前記実施形態においてキー入力処理を説明するためのフローチャートである。
【符号の説明】
【００４１】
１    光ディスク
２０    ディスプレイ装置
２１    操作部
２２    システムコントローラ
２６    リモコン
２２１    キー受信処理手段
２２２    キー状態判定手段
２２３    キー押し下げ判定手段
２２４    時間計測手段
２２５    所定時間キー押し下げ判定手段
２２６    特殊状態移行手段
２２７    キー押し放し判定手段
２２８    通常状態戻し手段
２２９    警告表示手段
２３０    キー特定手段
【図１】
2006179084.tif 000003
【図２】
2006179084.tif 000004